(57)【要約】【課題】スチーム配管の配設に伴って発生するタイヤ加硫機の規制を緩和し、タイヤ加硫機の移設に伴う作業ロスや改造費用の発生を抑制すると共に、空洞内の熱伝導の不均一による加硫金型の温度上昇のバラツキや開状態における温度低下の発生を抑制することができるタイヤ加硫機用コンテナおよびタイヤ加硫機を提供する。【解決手段】空洞にスチームを供給するスチーム配管が空洞の内部に配設されており、スチーム配管には、スチーム導入用の外部配管と接続される複数のスチーム導入口と、導入されたスチームを空洞内に吐出するスチーム吐出口とが設けられており、アクチュエーターには、空洞内に吐出されたスチームを外部配管に排出するスチーム排出口が、スチーム吐出口と略対称の位置に設けられており、さらに、空洞内には、空洞内に導入されたスチームが空洞内を蛇行して移動するように、複数枚の邪魔板が設けられているタイヤ加硫機用コンテナ。【選択図】図１
2015155151.tif 000002
【特許請求の範囲】
【請求項１】
内部に環状の空洞が形成された円筒状のアクチュエーターを有するタイヤ加硫機用コンテナであって、
前記空洞にスチームを供給するスチーム配管が、前記空洞の内部に配設されており、
前記スチーム配管には、スチーム導入用の外部配管と接続される複数のスチーム導入口と、導入されたスチームを前記空洞内に吐出するスチーム吐出口とが設けられており、
前記アクチュエーターには、前記空洞内に吐出されたスチームを外部配管に排出するスチーム排出口が、前記スチーム吐出口と略対称の位置に設けられており、
さらに、前記空洞内には、前記空洞内に導入されたスチームが前記空洞内を蛇行して移動するように、複数枚の邪魔板が設けられている
ことを特徴とするタイヤ加硫機用コンテナ。
【請求項２】
請求項１に記載のタイヤ加硫機用コンテナと、前記タイヤ加硫機用コンテナに収容される加硫金型とを備えていることを特徴とするタイヤ加硫機。
【発明の詳細な説明】
【技術分野】
【０００１】
本発明は、タイヤ加硫機用コンテナおよび前記タイヤ加硫機用コンテナを備えたタイヤ加硫機に関する。
【背景技術】
【０００２】
タイヤの加硫成形は、タイヤ加硫機を用いてローカバーを所定の圧力で加圧すると同時に所定の温度に加熱することにより行われる（例えば特許文献１）。
【０００３】
図２は一般的なタイヤ加硫機の要部断面図である。タイヤ加硫機は、加硫金型Ａと、加硫金型Ａを収容するタイヤ加硫機用コンテナ（以下、単に「コンテナ」ともいう）Ｂと、ブラダー等の中子（図示省略）を備えている。
【０００４】
加硫金型Ａは、上サイドモールド１、下サイドモールド２、トレッドセグメント３を備えており、コンテナＢは、上プラテン板４、下プラテン板５、セクターシュー６、アクチュエーター７を備えている。そして、アクチュエーター７の内部には、スチーム等の加熱媒体が供給されるコンテナジャケットとしての空洞８が環状に形成されている。なお、９は、上下のプラテン板４、５の内部に形成されたプラテンジャケットである。
【０００５】
図３は従来のタイヤ加硫機用コンテナのアクチュエーターを模式的に示す横断面図である。図３に示すように、このアクチュエーター７には、外部の配管から空洞８にスチームを導入するスチーム導入口１０ａ１と、空洞８から外部の配管にスチームを排出するスチーム排出口８ａが設けられている。そして、スチーム導入口１０ａ１とスチーム排出口８ａとは、導入されたスチームの加熱効率を考慮して、空洞８の中心を挟んで互いに反対側の位置に配置されている。
【０００６】
しかし、このようなタイヤ加硫機を移設しようとすると、周囲の配管状況によっては、図３に示すように、スチーム排出口８ａの近傍にスチーム導入口１０ａ２を設けざるを得ない場合があり、このような場合、従来は、スチーム導入口１０ａ２の箇所からスチーム導入口１０ａ１までアクチュエーター７の外周に沿ってスチーム配管１０を配設して、スチームの導入をスチーム導入口１０ａ１から行うようにしていた。
【先行技術文献】
【特許文献】
【０００７】
【特許文献１】特開２０１１−２０２７３号公報
【発明の概要】
【発明が解決しようとする課題】
【０００８】
しかしながら、このようなスチーム配管１０を配設した場合、タイヤ加硫機の大小によりこれらの配管が破損される恐れがあるため、タイヤ加硫機の設置に規制が生じる。また、タイヤ加硫機の移設に際して、スチーム配管１０を配設、除去する改造は、作業ロスの増加や改造費用による設備コストの上昇を招く。
【０００９】
また、供給されたスチームは、空洞８内で充分に撹拌されないため、加硫金型への熱伝導が均一にならず、加硫金型の温度上昇にバラツキが生じ易い。また、加硫金型に生カバーを装着するまでの待ち時間など、タイヤ加硫機を開状態としている時に温度が低下し易い。
【００１０】
そこで、本発明は、スチーム配管の配設に伴って発生するタイヤ加硫機の規制を緩和し、タイヤ加硫機の移設に伴う作業ロスや改造費用の発生を抑制すると共に、空洞内の熱伝導の不均一による加硫金型の温度上昇のバラツキや開状態における温度低下の発生を抑制することができるタイヤ加硫機用コンテナおよびタイヤ加硫機を提供することを課題とする。
【課題を解決するための手段】
【００１１】
請求項１に記載の発明は、
内部に環状の空洞が形成された円筒状のアクチュエーターを有するタイヤ加硫機用コンテナであって、
前記空洞にスチームを供給するスチーム配管が、前記空洞の内部に配設されており、
前記スチーム配管には、スチーム導入用の外部配管と接続される複数のスチーム導入口と、導入されたスチームを前記空洞内に吐出するスチーム吐出口とが設けられており、
前記アクチュエーターには、前記空洞内に吐出されたスチームを外部配管に排出するスチーム排出口が、前記スチーム吐出口と略対称の位置に設けられており、
さらに、前記空洞内には、前記空洞内に導入されたスチームが前記空洞内を蛇行して移動するように、複数枚の邪魔板が設けられている
ことを特徴とするタイヤ加硫機用コンテナである。
【００１２】
請求項２に記載の発明は、
請求項１に記載のタイヤ加硫機用コンテナと、前記タイヤ加硫機用コンテナに収容される加硫金型とを備えていることを特徴とするタイヤ加硫機である。
【発明の効果】
【００１３】
本発明によれば、スチーム配管の配設に伴って発生するタイヤ加硫機の規制を緩和し、タイヤ加硫機の移設に伴う作業ロスや改造費用の発生を抑制すると共に、空洞内の熱伝導の不均一による加硫金型の温度上昇のバラツキや開状態における温度低下の発生を抑制することができるタイヤ加硫機用コンテナおよびタイヤ加硫機を提供することができる。
【図面の簡単な説明】
【００１４】
【図１】本発明の一実施の形態のタイヤ加硫機用コンテナのアクチュエーターを模式的に示す横断面図である。
【図２】一般的なタイヤ加硫機の要部断面図である。
【図３】従来のタイヤ加硫機用コンテナのアクチュエーターを模式的に示す横断面図である。
【発明を実施するための形態】
【００１５】
以下、本発明を実施の形態に基づき、図面を用いて説明する。
【００１６】
図１は、本実施の形態に係るタイヤ加硫機用コンテナのアクチュエーターを模式的に示す横断面図である。図１において、７はアクチュエーターであり、８はアクチュエーター７の内部に形成された環状の空洞であり、８ａはアクチュエーター７に設けられたスチーム排出口である。また、１０はスチーム配管であり、１０ａ１、１０ａ２はスチーム配管１０に設けられたスチーム導入口であり、１０ｂはスチーム配管１０に設けられたスチーム吐出口である。
【００１７】
本実施の形態に係るタイヤ加硫機用コンテナは、環状の空洞８内の半周分に亘ってスチーム配管１０が配設されている点で従来のタイヤ加硫機用コンテナと異なる。
【００１８】
そして、このスチーム配管１０には、スチーム導入用の外部配管（図示せず）に接続される複数のスチーム導入口（図１では１０ａ１、１０ａ２の２箇所）が設けられている。
【００１９】
このように、複数のスチーム導入口を設けることにより、周囲の配管状況が異なる場所にタイヤ加硫機を移設する場合でも、スチーム配管を配設、除去する改造を行うことなく、それぞれの配管状況に合ったスチーム導入口に外部配管を容易に接続することができる。
【００２０】
そして、これらのスチーム導入口１０ａ１、１０ａ２には、それぞれ図示しない開閉弁が設けられており、１０ａ１、１０ａ２の何れか１つのスチーム導入口にスチーム導入用の外部配管が接続されて開閉弁が開かれると、そこから、スチーム配管１０を経由して空洞８内にスチームが導入される。そして、外部配管が接続されなかったスチーム導入口では、開閉弁はそのまま閉じられている。
【００２１】
また、スチーム配管１０には、空洞８内に開口しているスチーム吐出口１０ｂが設けられており、スチーム導入口１０ａ１、１０ａ２の何れかからスチーム配管１０内に導入されたスチームは、スチーム吐出口１０ｂから空洞８内に吐出される。
【００２２】
空洞８内に吐出されたスチームは、スチーム排出口８ａに接続された外部配管（図示せず）を経由して、アクチュエーター７の外部に排出される。スチーム排出口８ａは、スチームによる加熱効率を考慮して、スチーム吐出口１０ｂと略対称の位置に設けられている。
【００２３】
本実施の形態によれば、アクチュエーター７内の空洞８内にスチーム配管１０が配設されているため、従来のようにアクチュエーターの外部にスチーム配管を配設する必要がなく、タイヤ加硫機の規制を緩和させることができる。
【００２４】
また、空洞８内に配設されたスチーム配管１０にスチーム導入口が複数設けられているため、タイヤ加硫機の移設などにより周囲の配管状況が変化しても、スチーム配管を配設、除去する改造を行う必要がなく、配管の改造による作業ロスや改造費用の発生を充分に抑制することができる。
【００２５】
なお、スチーム配管１０のスチーム導入口を設ける位置や数は、想定される移設先の配管状況を考慮して適宜調整することができ、特に限定されるものではない。
【００２６】
さらに、本実施の形態においては、導入されたスチームが空洞８内を蛇行して移動するように、空洞８内に複数枚の邪魔板１１が設けられている点でも従来のタイヤ加硫機用コンテナと異なる。
【００２７】
それぞれの邪魔板１１は、例えば、図１に示すように、空洞８の外周側と内周側とで交互に開口部１２が形成されるように配置されており、スチーム吐出口１０ｂから吐出されたスチームが、邪魔板１１により空洞８の外周側と内周側とに交互に形成された開口部１２を通って、スチーム排出口８ａに向かうことにより空洞８内を蛇行して移動する。
【００２８】
この結果、導入されたスチームを空洞８内で充分に撹拌することができ、加硫金型への熱伝導を均一にすることができるため、加硫金型の温度上昇のバラツキや開状態における温度低下の発生を充分に抑制することができる。
【００２９】
なお、邪魔板の枚数は、空洞８内に導入されたスチームを充分に撹拌することができる限り、特に限定されないが、通常は６〜１０枚程度であることが好ましい。
【００３０】
そして、上記の実施の形態に係るタイヤ加硫機用コンテナに加硫金型が収容されたタイヤ加硫機を用いることにより、安定した品質のタイヤを提供することができる。
【実施例】
【００３１】
次に、実施例に基づき、本発明をより具体的に説明する。
【００３２】
１．タイヤ加硫機用コンテナ
表１に示すように、配管（スチーム配管の設置方法）および邪魔板（設置箇所数、開口部の形成位置）が異なる５種類のタイヤ加硫機用コンテナを用意した（従来例、実施例１、実施例２、比較例１、比較例２）。
【００３３】
２．評価
（１）評価方法
ａ．温度均一性
用意したタイヤ加硫機用コンテナのそれぞれについて、アクチュエーター内の空洞の１０箇所に温度計を設置し、同じ条件でスチームを供給して温度を測定した。そして、１０箇所の温度計の測定結果のうち、最高温度と最低温度との差を求め、従来例を１００％として比較することにより温度の均一性を評価した。数値が大きい方が温度均一性に優れ、温度のバラツキが少ないことを示している。
【００３４】
ｂ．汎用性
タイヤ加硫機を周囲の配管状況が異なる２つの場所の間で移設して、その際のコンテナの入れ替えの所要時間を測定した。そして、それぞれの測定結果を、実施例１を１００％として比較することにより汎用性を評価した。数値が大きい方が、コンテナ入れ替え時間が短く、作業ロスが少なく良好であることを示している。
【００３５】
（２）評価結果
評価結果をまとめて表１に示す。
【００３６】
【表１】
2015155151.tif 000003
【００３７】
表１より、スチーム配管をアクチュエーター内の空洞に配設することにより、スチーム配管を配設、除去する改造を行う必要がなくなり、コンテナ入れ替えの所要時間を大幅に短縮することができ、汎用性に優れたタイヤ加硫機用コンテナを提供できることが確認された。
【００３８】
そして、実施例１、２では、スチームを供給した際の温度均一性が、従来例や比較例よりも優れていることが分かり、アクチュエーターの空洞内に、外周側と内周側と互い違い（交互）に開口部が形成されるように邪魔板を配置して、供給されたスチームを蛇行させることにより、温度上昇のバラツキを抑制できることが確認された。
【００３９】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００４０】
１                  上サイドモールド
２                  下サイドモールド
３                  トレッドセグメント
４                  上プラテン板
５                  下プラテン板
６                  セクターシュー
７                  アクチュエーター
８                  空洞
８ａ                スチーム排出口
９                  プラテンジャケット
１０                スチーム配管
１０ａ１、１０ａ２  スチーム導入口
１０ｂ              スチーム吐出口
１１                邪魔板
１２                開口部
Ａ                  加硫金型
Ｂ                  タイヤ加硫機用コンテナ
【図１】
2015155151.tif 000004
【図２】
2015155151.tif 000005
【図３】
2015155151.tif 000006